(57)【要約】【課題】本発明は、情報処理装置に関し、例えばノートパソコンに適用して、簡易な構成、操作により、ユーザーの意図するままに蓋を操作することができるようにする。【解決手段】本発明は、蓋部を完全に閉じた状態で、固定側、回動側のカム７、８の当接面に形成された傾いた面が一部だけ重なり合うようにする。【選択図】        図５
2004272667.tif 000002
【特許請求の範囲】
【請求項１】
ヒンジにより本体部に対して回動自在に蓋部を保持してなる情報処理装置において、
前記ヒンジは、
前記蓋部の回動に係る回動軸と、
前記回動軸に保持されて、前記本体部に固定されてなる固定側のカムと、
前記回動軸に保持されて、前記固定側のカムに当接する前記蓋部に固定されてなる回動側のカムと、
前記固定側のカムに、前記回動側のカムを押し付ける押圧部材とを有し、
前記固定側のカムは、
前記回動側のカムに当接する面が、回動軸を横切る仮想の分割線により６個の領域に区切られて順次循環的に第１〜第３の領域が設定され、
前記第１の領域には、前記回動軸にほぼ垂直な平坦な面が形成され、
前記第２の領域には、前記回動軸にほぼ垂直な平坦な面であって、前記第１の領域の面に対して、前記回動側のカムに近い面が形成され、
前記第３の領域には、前記第１及び第２の領域を接続する前記回動軸に垂直な面に対して傾いた面が形成され、
前記回動側のカムは、
前記固定側のカムの第１〜第３の領域に対応して前記回動軸にほぼ垂直な平坦な面と、前記回動軸に垂直な面に対して傾いた面とが形成され、
前記情報処理装置は、
前記本体部に対して前記蓋部を完全に閉じた状態で、前記固定側のカムの前記傾いた面と、前記回動側のカムの前記傾いた面とが、一部重なり合うように、前記固定側のカムに対する前記可動側のカムの位置が設定されたことを特徴とする情報処理装置。
【請求項２】
前記固定側のカムは、
前記第１及び第２の領域が接する箇所にあっては、前記回動軸にほぼ平行な面により、前記第１及び第２の領域における前記平坦な面が接続されたことを特徴とする請求項１に記載の情報処理装置。
【請求項３】
前記回動軸にほぼ垂直に保持されて、前記回動側のカムと共に回動するストッパーピンと、
前記ストッパーピンに当接して前記回動側のカムの回動を制限するストッパーブラケットとを有することを特徴とする請求項２に記載の情報処理装置。
【発明の詳細な説明】
【０００１】
【発明の属する技術分野】
本発明は、情報処理装置に関し、例えばノートパソコンに適用することができる。本発明は、蓋部を完全に閉じた状態で、固定側、回動側のカムの当接面に形成された傾いた面が一部だけ重なり合うようにすることにより、簡易な構成、操作により、ユーザーの意図するままに蓋を操作することができるようにする。
【０００２】
【従来の技術】
従来、情報処理装置であるノートパソコンにおいては、本体に対して液晶表示パネルを配置してなる蓋を開いて使用するようになされている。これによりノートパソコンにおいては、蓋を閉じた状態で携帯するようになされており、このため例えば特開２００２−２８０７６１号公報等に開示の手法によるラッチ機構により携帯中に蓋がばたつかないようになされている。
【０００３】
またノートパソコンにおいては、一定角度以上、蓋が開かないように、本体装置側にストッパーを設けるようになされている。
【０００４】
【特許文献１】
特開２００２−２８０７６１号公報
【０００５】
【発明が解決しようとする課題】
ところでこのようなノートパソコンにおいては、簡易な操作により、また簡易な構成により、ユーザーの意図するままに操作できることが望まれる。
【０００６】
具体的には、例えば蓋を閉めようと蓋を可動させた場合には、蓋を閉じた状態に適度な力により蓋を引き込み、またこの状態でラッチ機構等に依らなくても蓋のばたつきを防止できることが望まれる。また蓋を開く場合でも、いちいちラッチ機構を操作しなくても、蓋を開くことができ、また所望する角度で蓋を停止させることが望まれる。
【０００７】
本発明は以上の点を考慮してなされたもので、簡易な構成、操作により、ユーザーの意図するままに蓋を操作することができる情報処理装置を提案しようとするものである。
【０００８】
【課題を解決するための手段】
かかる課題を解決するため請求項１の発明においては、ヒンジにより本体部に対して回動自在に蓋部を保持してなる情報処理装置に適用して、本体部に対して蓋部を完全に閉じた状態で、固定側のカムの傾いた面と、回動側のカムの傾いた面とが、一部重なり合うように、固定側のカムに対する可動側のカムの位置を設定する。
【０００９】
請求項１の構成により、本体部に対して蓋部を完全に閉じた状態で、固定側のカムの傾いた面と、回動側のカムの傾いた面とが、一部重なり合うように設定すれば、これら傾いた面が一部重なり合う部分まで蓋部を回動させれば、これら傾いた面によりカムが近づくように押圧部材により押圧され、その結果これらの傾いた面の重なり合う領域が増大するように、回動側のカムが回動し、これにより蓋部を閉じることができる。またこのような閉じた状態でも、傾いた面の重なり合う領域が増大する方向に、回動側のカムが力を受け、これにより振動等による蓋部のばたつきを防止することができる。また単に蓋部を回動させるだけで蓋を開くことができ、これらによりラッチ機構を設けなくてもユーザーの意図するままに蓋部を開閉することができる。またラッチ機構を設けなくても良いことにより構成を簡略化し得、さらにはラッチ機構を操作しなくてもよいことにより、操作を簡略化することができる。
【００１０】
【発明の実施の形態】
以下、適宜図面を参照しながら本発明の実施の形態を詳述する。
【００１１】
図１は、本発明の実施の形態に係るノートパソコンを示す側面図である。ノートパソコン１は、キーボート等を配置してメインボード等を収納してなる本体部２と、この本体部２に対して回動自在に保持された蓋部３とにより構成され、この蓋部３に液晶表示パネルが配置されるようになされている。これによりノートパソコン１は、携帯する場合には、蓋部３を閉じるようになされ、使用する場合には蓋部３を開くようになされている。
【００１２】
ノートパソコン１は、このような蓋部３の開閉に係る機構が、所定のヒンジ４により構成される。ここでヒンジ４は、略矩形の板形状による蓋部３の両端にそれぞれ設けられ、それぞれブラケット６を本体部２のケースにネジ留めして本体部２に保持されるようになされている。また可動側のアーム５が液晶表示パネルのフレームに取付けられるようになされ、これによりこの液晶表示パネルを介して蓋部３に取付けられるようになされている。
【００１３】
ここで図２に示すように、ヒンジ４は、ブラケット６に取付けられた略円柱形状によるカム７に、アーム５を回動自在に保持して形成される。すなわち固定側のカム７は、略円柱形状による中心軸を中心にして貫通穴が形成されるようになされている。ヒンジ４は、この貫通穴に回動軸が挿通され、この回動軸の一端に、カム８が保持され、他端にフランジ９が保持される。ヒンジ４は、このフランジ９にアーム５が保持され、これによりアーム５と共にカム８、フランジ９が回動して、アーム５が本体部２に回動自在に保持されるようなされている。
【００１４】
ヒンジ４は、カム８のカム７と逆側の端部に、押圧部材であるリング状の板バネ１０が設けられ、これによりカム８及びフランジ９によりカム７の両側端面を押圧するようになされている。
【００１５】
このようにしてカム７の端面を押圧するカム８においては、図３に示すように、カム７を押圧する端面に、段差が形成され、またこれに対応して図４に示すように、カム７側の対応する端面においても、同様の段差が形成され、これによりこの段差の噛み合いにより、板バネ１０による押圧力が変化してカム７、８、フランジ９間の摩擦力が変化し、アームの回動に要する力が変化するようになされている。またさらには、アーム５が所定範囲にまで回動すると、この回動を促進させる力を発生させ、またこれとは逆に逆方向に回動させる力を発生させるようになされている。
【００１６】
すなわち図３は、回動側のカム８をカム７への当接面より見て示す平面図と、図２に対応する側面図である。なおこの図３の側面図においては、理解を容易にするため、中心軸より近い側の部位のみ示す。カム８は、回動軸を横切る仮想の分割線により当接面が放射状に６個の領域に区切られて順次循環的に第１〜第３の領域ＡＲ１〜ＡＲ３が設定される。ここで第１の領域ＡＲ１においては、回動軸に垂直な、カム７から当接面が遠ざかった平坦面により形成される。これに対して隣接する第２の領域ＡＲ２においては、回動軸に垂直な、カム７側に近づいた平坦面により当接面が形成される。また残る第３の領域においては、第１及び第２の領域ＡＲ１及びＡＲ２に係る当接面を平面により結ぶように形成され、回動軸に垂直な面に対して斜めに傾いた面により形成される。
【００１７】
これに対して図４は、回動側のカム７をカム８への当接面より見て示す平面図と、図２に対応する側面図である。なおこの図４の側面図においても、理解を容易にするため、中心軸より近い側の部位のみ示す。カム７は、カム８に対応するように、当接面が対称に放射状の領域に区切られる。カム７は、カム８の第１の領域ＡＲ１に対応する第１の領域Ａ１においては、回動軸に垂直な、カム７に近づいた平面により当接面が形成される。これに対して第２の領域ＡＲ２に対応する第２の領域Ａ２においては、回動軸に垂直な、カム７より遠ざかった平坦面により当接面が形成される。また残る第３の領域ＡＲ３に対応する第３の領域Ａ３においては、第１及び第２の領域Ａ１及びＡ２に係る当接面を平面により結ぶように形成され、回動軸に垂直な面に対して斜めに傾いた面により形成される。
【００１８】
これらにより図５（Ａ）に示すように、アーム５の回動により、カム７及び８が完全に噛み合った場合、すなわちそれぞれカム７の第１、第２、第３の領域ＡＲ１、ＡＲ２、ＡＲ３に、それぞれカム８の第１、第２、第３の領域Ａ１、Ａ２、Ａ３が対向するように保持された場合、ヒンジ４においては、カム７及び８が最も近づくことにより、板バネ１０による押圧力が最も弱くなるようになされている。
【００１９】
これに対して図５（Ｂ）に示すように、カム７の領域ＡＲ２の当接面であるカム８に近い側の平坦面と、カム８の領域Ａ１の当接面であるカム７に近い側の平坦面が当接する場合、この場合、カム７及び８が最も遠ざかることにより、板バネ１０による押圧力が最も大きくなり、その分、カム７、８、フランジ９間の摩擦力が最も大きくなる。これによりこの場合アーム５の回動に大きな力を要することになる。
【００２０】
これに対して図５（Ｃ）に示すように、これら図５（Ａ）及び（Ｂ）状態の中間の状態においては、カム７の領域ＡＲ３の当接面で斜めに傾いた面と、カム８の領域Ａ３の当接面である同様に斜めに傾いた面とが当接する。この場合、これら当接する面にあっては、回動軸の垂直面に対して斜めに傾いた面であることにより、板バネ１０の押圧力により、図５（Ａ）について上述したカム７及び８が完全に噛み合った状態に移行するように、矢印Ａにより示す方向にカム８を回動させる力が発生する。
【００２１】
この実施の形態では、蓋部３を完全に閉じた状態で、これら領域ＡＲ３、Ａ３に係る斜めに傾いた当接面が一部を残して重なり合うように設定し、これによりその結果発生するカム７を回動させる力により、蓋部３を閉じるようになされ、またラッチ機構を省略して、一旦閉じた蓋部３がばたつかないようになされている。具体的にこの実施の形態では、この回動軸に垂直な面に対して斜めに傾いた面による領域ＡＲ３、Ａ３がそれぞれ３０度の角範囲に設定される。また蓋部３を完全に閉じた状態では、さらに１５度回動させて、それぞれカム７とカム８とが完全に噛み合うまで（図５（Ａ）に示す状態）に移行するように、すなわちカム７とカム８のそれぞれ斜めに傾いた当接面が１５度の角範囲で重なり合っているように、カム７、８の取付けを設定する。
【００２２】
これによりノートパソコン１では、完全に蓋部３を閉じた状態から１５度だけ蓋部３が開いた状態に蓋部３を設定すると、これらカム７、８による図５（Ｃ）について上述した力により、蓋部３を完全に閉じるように、ヒンジ４により蓋部３を回動させて蓋部３を引き込む。これによりノートパソコン１では、単に蓋部３を閉じる方向に回動させるだけで蓋部３を閉じることができ、その分、ユーザーの意図するままに操作することができるようになされている。
【００２３】
またこの引き込みの角度が１５度であることにより、液晶パネルに悪影響を与えない程度の比較的弱い力で蓋部３を閉じることができ、また指等を挟んだ場合にあっても、けがを確実に防止することができる。また完全に蓋部３が閉じる直前で蓋部３が自動的に閉まることにより、いわゆる商品としての品位を高めることもできる。
【００２４】
またこのように一旦閉じた後において、振動等により蓋部３が開こうとすると、この蓋部３を閉じる方向に力がかかっていることにより、蓋部３のばたつきを防止することができる。またこのような力により蓋部３のばたつきを防止することにより、単に蓋部３を把持して力を加えるだけで蓋部３を開くことができ、これによってもユーザーの意図するままに操作することができる。またこのときカム７、８の斜面の傾きと、板バネ１０の押圧力との設定により、ばたつきを防止する力を設定し、さらにはこのように蓋部３を開く際に要する力（すなわち蓋部３の堅さである）を設定し得、この設定により小さい力で蓋部３を開くことができる。
【００２５】
またこのように領域ＡＲ１〜ＡＲ３、Ａ１〜Ａ３を設定して、領域ＡＲ３、Ａ３とは逆側の、領域ＡＲ１及びＡＲ２、Ａ１、Ａ２が直接隣接する境界において、カム７、８は、領域ＡＲ１、ＡＲ２、Ａ１、Ａ２にほぼ垂直な面により、領域ＡＲ１、ＡＲ２、領域Ａ１、Ａ２が接続されるようになされている。
【００２６】
これによりこのノートパソコン１では、蓋部３を大きく開いた場合でも、蓋部３を閉じる場合のような引き込みが発生しないようになされ、その分、所望の角度まで蓋部３を開いて使用し得るようになされ、これによってもユーザーの意図するままに操作することができるようになされている。
【００２７】
ところでこのように構成して蓋部３を１５０度以上開くと、カム７、８においては、逆側に設けられている領域が噛み合うことになる。これによりこのような逆側における噛み合いを防止するためにストッパーが必要になり、この実施の形態では、ヒンジ４にこのストッパーが形成される。
【００２８】
すなわちヒンジ４においては、フランジ９にストッパーピン１５が設けられるようになされている。また蓋部３を完全に開いた状態により図６に示すように、これに対応してブラケット６には、金属板材の曲げ加工して作成されたストッパーブラケット６Ａが設けられるようになされている。
【００２９】
ここでストッパーピン１５は、回動軸に対してほぼ垂直に設けられるのに対し、ストッパーブラケット６Ａは、同様に、この回動軸に対してほぼ垂直な面にストッパーピン１５を当接させて、蓋部３の回動を制限するようになされている。
【００３０】
これによりこの実施の形態では、これらストッパーピン１５及びストッパーブラケット６Ａによりアーム５の回動範囲を制限する回動制限機構を形成し、このヒンジ４に設けられた回動制限機構により蓋部３の回動を制限するようになされている。従ってノートパソコン１においては、別途、ストッパーを設けることなく、蓋部３の回動を制限し得、これによりこのようなストッパー等をケース等に作成することによるデザインの劣化を防止し得るようになされている。またこのようにヒンジ４にストッパーを設ける場合にあっては、デザインの自由度も向上することができる。また単に、ストッパーピン１５の取付け位置及び又はストッパーブラケット６Ａの角度を可変するだけで、回動を制限する角度を自由に設定することができる。
【００３１】
以上の構成によれば、蓋部を完全に閉じた状態で、固定側、回動側のカムの当接面に形成された傾いた面が一部だけ重なり合うようにすることにより、蓋部の開閉に関して、簡易な構成、操作により、ユーザーの意図するままに蓋を操作することができる。
【００３２】
またカムにおいて、第１及び第２の領域が接する箇所にあっては、回動軸にほぼ平行な面により、第１及び第２の領域における平坦な面を接続することにより、十分に大きな角度に蓋部を回動させても、蓋部を閉じる場合のような引き込みを防止し得、その分、種々の角度に蓋部を設定して使い勝手を向上することができる。
【００３３】
また回動軸にほぼ垂直に保持されて、回動側カムと共に回動するストッパーピンと、固定側カムに間接的に保持されて、ストッパーピンに当接するストッパーブラケットとを設けることにより、簡易な構成により、ヒンジに回動制限機構を設けることができ、その分、ノートパソコン全体として構成を簡略化し、またデザインを向上することができる。
【００３４】
なお上述の実施の形態においては、蓋部を完全に閉じた状態で、３０度の角範囲が割り当てられている傾いた面のうちの、１５度の範囲が重なり合うようにした場合について述べたが、本発明はこれに限らず、これらの角度の設定においては、必要に応じて種々に変更することができる。
【００３５】
また上述の実施の形態においては、リング状の板バネ１０によりカムを押圧する場合について述べたが、本発明はこれに限らず、種々の押圧部材を広く適用することができる。
【００３６】
また上述の実施の形態においては、ノートパソコンに本発明を適用する場合について述べたが、本発明はこれに限らず、ＰＤＡ（Ｐｅｒｓｏｎａｌ  Ｄｉｇｉｔａｌ  Ａｓｓｉｓｉａｎｔｓ  ）、携帯電話、ゲーム機等、種々の情報処理装置に広く適用することができる。
【００３７】
【発明の効果】
上述のように本発明によれば、蓋部を完全に閉じた状態で、固定側、回動側のカムの当接面に形成された傾いた面が一部だけ重なり合うようにすることにより、簡易な構成、操作により、ユーザーの意図するままに蓋を操作することができる。
【図面の簡単な説明】
【図１】本発明の実施の形態に係るノートパソコンを示す側面図である。
【図２】図１のノートパソコンに適用されるヒンジを部分的に示す斜視図である。
【図３】図２のヒンジのカムを示す平面図及び側面図である。
【図４】図２のヒンジの他方のカムを示す平面図及び側面図である。
【図５】蓋部の回動とカム相互の関係を示す側面図である。
【図６】回動制限機構の説明に供する斜視図である。
【符号の説明】
１……ノートパソコン、２……本体部、３……蓋部、４……ヒンジ、５……アーム、６……ブラケット、６Ａ……ストッパーブラケット、７、８……カム、１０……板バネ、１５……ストッパーピン
【図１】
2004272667.tif 000003
【図２】
2004272667.tif 000004
【図３】
2004272667.tif 000005
【図４】
2004272667.tif 000006
【図５】
2004272667.tif 000007
【図６】
2004272667.tif 000008